(57)【特許請求の範囲】
【請求項１】
ケース本体と蓋体、ケース本体に嵌合された中枠と、該中枠に装着可能な化粧料の収納ケースとを備えたコンパクトであって、
前記中枠は、枠板と、該枠板から垂設された側板を有しており、
該側板の所定個所には、一定の間隔をおいて穿設された前後二つの縦溝と、後側の縦溝の上端から前方向水平に延びる横溝が穿設され、前側の縦溝と横溝の終端縁との間に形成され、所定箇所に横方向に延びる係止リブを突設し、枠板を軸として水平方向に撓む前側の板体と、横溝の終端縁と後側縦溝との間に形成され、後側にいくほど薄肉として、後側縦溝近くに縦方向に延びる係止片を突設し、前記前側の板板との接続端縁を軸として撓む板板とによって、ケース保持板が構成されており、
前記収納ケースは、その側壁に横方向に延び前記係止リブに係合する係止リブと、縦方向に延び前記係止片を受け入れる係合溝を設けていることを特徴とする収納ケースを脱着可能としたコンパクト。
【発明の詳細な説明】
【０００１】
【発明の属する技術分野】
本発明は、コンパクト、とくに化粧料の収納ケースを取り替え可能としたコンパクトに関する。
【０００２】
【従来の技術】
ケース本体内に、化粧料の収納ケースを着脱自在として装着し、化粧料がなくなったときに新しい化粧料を入れた収納ケースと取り換え可能としたコンパクトは、従来より知られており、その一つとして、ケース本体あるいはケース本体内に装着された中枠によって形成された収納凹部内周の所定位置に、係止片を突設し、収納ケースの側周面に前記係止片に係合する係合部を突設し、収納ケースをケース本体あるいは中枠に装着するようにしたコンパクトが提案されている。
【０００３】
【発明が解決しようとする課題】
しかしながら、上記従来技術では、収納ケースを収納凹部に上方から嵌め込むように装着しており、装着時には、上から押さえるようにして簡単に嵌着させることができるが、取外し時には、上方に脱抜するので、ときには嵌着が強く簡単に取り出せないこともあった。
また、係止片は、ケース本体の収納凹部内周、あるいは中枠に突設するよう設けられているので、その寸法と収納ケースの係合部の寸法を正確にしなければならないという問題があった。
【０００４】
本発明は、上記の問題点を解決し、化粧料の収納ケースの着脱をスムーズに行えるようにすることを技術的課題として、収納ケースの着脱に際し、上下方向と共に水平方向にも移動可能としたコンパクトを提供することを目的とする。
【０００５】
【課題を解決するための手段】
本発明は、上記の技術的課題を達成するため、コンパクトとして、ケース本体と蓋体、ケース本体に嵌合された中枠と、該中枠に装着可能な化粧料の収納ケースとを備えたコンパクトであって、前記中枠は、枠板と、該枠板から垂設された側板を有しており、該側板の所定個所には、一定の間隔をおいて穿設された前後二つの縦溝と、後側の縦溝の上端から前方向水平に延びる横溝が穿設され、前側の縦溝と横溝の終端縁との間に形成され、所定箇所に横方向に延びる係止リブを突設し、枠板を軸として水平方向に撓む前側の板体と、横溝の終端縁と後側縦溝との間に形成され、後側にいくほど薄肉として、後側縦溝近くに縦方向に延びる係止片を突設し、前記前側の板板との接続端縁を軸として撓む板板とによって、ケース保持板が構成されており、前記収納ケースは、その側壁に横方向に延び前記係止リブに係合する係止リブと、縦方向に延び前記係止片を受け入れる係合溝を設けていることを特徴とする構成を採用する。
【０００６】
【発明の実施の形態】
次に、本発明の実施形態について、図面を参照して説明する。
図１，２において、Ａはケース本体、Ｂはケース本体に開閉自在に取着された蓋体、Ｃはケース本体Ａ内に装着された中枠、Ｄは化粧料の収納ケース、Ｅは化粧料である。
【０００７】
図２，３に示すように、ケース本体Ａは、底壁１と、前面壁２ａと後面壁２ｂと二つの側面壁２ｃ，ｄとからなる周壁２を有している。
前面壁２ａの中央部には、切欠部３が設けられ、コ字状の三つの壁面４ａ，ｂ，ｃが形成されている。
壁面４ｂの上部にはフック５が設けられ、壁面４ａ，ｃには突出ピン６が設けられている。
【０００８】
後壁面２ｂには中央部に切欠部７が設けられ、切欠部７の中央部内側にはコ字状の壁面８が形成されており、切欠部７に対向する後面壁２ｂの所定個所には軸受孔９が穿孔されている。
コ字状の壁面４を除く周壁２の内面には、一定巾の段部１０が形成されており、壁面８は、該段部１０と面一になっている。
側面壁２ｃ，ｄの内周の所定個所には、切欠凹部１１が設けられている。
【０００９】
図２，４に示すように、蓋体Ｂは、頂板１２と、該頂板１２の周囲から下方に垂下する突出縁１３ａ，ｂ，ｃ，ｄとを有している。
頂板１２の中央下面には、鏡１４が装着されている。
前面側の突出縁１３ａに沿って頂板１２下面には、先端にフック１５を設けた係止片１６が垂設されており、後面側の突出縁１３ｂの中央部には、軸孔１７を穿設した突出片１８が垂設されている。
【００１０】
前記ケース本体Ａの後面壁２ｂに穿孔された軸受孔９と、突出片１８に穿孔された軸孔１７を通して、蝶番ピン１９が嵌挿され、ケース本体Ａと蓋体Ｂの蝶番機構が形成されている。
【００１１】
蓋体Ｂは、前記蝶番機構によって、ケース本体Ａに開閉自在に取着され、閉蓋時には、蓋体Ｂのフック１５が、ケース本体Ａのフック５に係合して係止されるようになっている。
【００１２】
前記ケース本体Ａの壁面４ａ，ｃに突設された突出ピン６には、フック５とフック１５との係脱部材２０が廻動自在に支持されている。
係脱部材２０は、図５に示すように、押え板２１と側板２２、中央部を切欠部とした上板２３、下板２４とからなっている。
側板２２には、底部を突出ピン６と同径の半円とした挿入溝２５が設けられ、半円に続き突出ピン６に係合する膨出部２６が挿入溝２５の上下面に設けられている。
下板２４の中央上面には、蓋体のフック１５に係合する作動板２７が立設されており、閉蓋時には、フック１５の下面に接合するようになっている。
押え板２１を押圧したときには、係脱部材２０が突出ピン６を中心に廻動し、それに応じて作動板２７がフック１５を押し上げ、フック５を乗り越えて上方に移動させるようにしている。
【００１３】
図６，７に示すように、中枠Ｃは、前枠３０ａと後枠３０ｂ、側枠３０ｃ，ｄとからなる枠板３０と、前枠３０ａの内縁から下方に傾斜して設けられた傾斜板３１と、後枠３０ｂと側枠３０ｃ，ｄの内縁から下垂する後板３２と側板３３ａ，ｂとからなっている。
枠板３０の上端周縁は、突出縁３４が形成されており、前枠３０ａ中央にはケース本体Ａのコ字状の壁面４に対応する切欠部３５が設けられ、後枠３０ｂの中央には、ケース本体Ａのコ字状の壁面８に対応する切欠部３６が設けられている。
【００１４】
前枠３０ａには、切欠部３５に面して傾斜板３１に接続された側壁３７ａ，ｂが垂設されており、前枠３０ａの端縁から一定の間隔をおいて、該側壁３７ａ，ｂの前端と前記側板３３ａ，ｂの前端とを接続する前板３８ａ，ｂが垂設されている。
【００１５】
前記側板３３ａ，ｂの外周と側枠３０ｃ，ｄとの間にも一定の間隔が設けられており、前板３８ａ，ｂ、側壁３７ａ，ｂ、側板３３ａ，ｂ、後板３２の各外周面は、ケース本体Ａの周壁２の内周に嵌合されるようになっており、枠板３０の周縁部は、段部１０に接合するとともに、突出縁３４は、周壁２の上面に接合するようになっている。
かくして、中枠Ｃは、ケース本体Ａに所定の位置に位置決めされて嵌合されるのである。
【００１６】
前記側板３３ａ，ｂには、ケース本体Ａの凹部に対応する位置に、収納ケースＤのケース保持板４０が配設されている。
側板３３ａ，ｂの対応する所定位置には、下方からほぼ側枠３０ｃ，ｄに達する縦溝４１と縦溝４２が一定の間隔をおいて穿設されており、縦溝４２の上端部から側枠３０ｃ，ｄに沿って縦溝４１の方向に延びる横溝４３が穿設されている。
縦溝４１と縦溝４２との間の下端縁４４は、側板３３ａ，ｂ下端より上昇して位置している。
【００１７】
各縦溝４１，４２、横溝４３と、該横溝４３の延長線によって区画されるケース保持板４０が形成されている。
縦溝４１と横溝４３の終端部４３ａとの間の板部分４５は、側板３３ａ，ｂと同じ厚さであるが、横溝４３と下端縁４４とによって形成される板部分４６は、板部分４５から先端に向かって漸次薄くなるように形成されている。
【００１８】
板部分４５のほぼ中央に位置して、横方向に延びる係止リブ４７が突設されており、板部分４６の端部近くには、縦方向に延びる係止片４８が突設されている。
板部分４５は、枠板を軸として水平方向に撓むようになっており、板部分４６は、板部分４５との接続端縁４６ａを軸として水平方向に撓むようになっており、板部分４５，４６からなるケース保持板４０によって、収納ケースＤの保持機構が構成されている。
【００１９】
図８に示すように、収納ケースＤは、底壁５０と前後壁５１ａ，ｂ、側壁５２ａ，ｂとからなっている。
前後壁５１、側壁５２の上端には、それぞれ前後の突出縁５３ａ，ｂ、および側部の突出縁５４ａ，ｂが突設されており、側壁５２の突出縁５４の外周縁から外周壁５５ａ，ｂが垂設されている。
【００２０】
突出縁５３ａ，ｂの両端縁には、角枠５６が垂設されており、その両端縁は外周壁５５ａ，ｂに連続している。
外周壁５５ａ，ｂの中央部には、水平方向に延びる係止リブ５７が突設されており、両端部の近くに係合溝５８が穿設されている。
係止リブ５７の位置は、収納ケースＤの装着時に、前記中枠Ｃの係止リブ４７の下側に位置しており、係合溝５８の位置は、装着時に係止片４８に対応するように位置している。
【００２１】
つぎに、コンパクトの上記構成に基づく作用効果について説明する。
コンパクトのケース本体Ａ内には、収納ケースＤと、パフ、刷毛等の塗布用具が収納される。
収納ケースＤは、その後壁の突出縁５３ｂの端縁と角枠５６が中枠Ｃの後板３２内周に接し、側壁５２の外周壁５５ａ，ｂに設けられた係止リブ５７が、中枠Ｃのケース保持板４０に設けられた係止リブ４７の下面に接合し、係合溝５８に中枠Ｃの係止片４８が嵌合し、上下、前後左右に位置決めされて保持される。
そして、収納ケースＤの前方の空所に、パフ、または刷毛その他の塗布用具を入れておくことができる。
【００２２】
コンパクトの使用中に、収納ケースＤ内の化粧料がなくなったときには、収納ケースＤを取り出し、新たに化粧料を入れてケース本体Ａ内に装着する。
収納ケースＤの取り出し、装着にあたって、塗布用具を取り出し、収納ケースＤを水平方向に移動させ、ケース本体Ａ底壁１上面と中枠Ｃの傾斜板３１上を摺動させることによって収納ケースＤを着脱することができる。
【００２３】
その際、中枠Ｃケース保持板４０の板部分４６が可撓性を有しているので、収納ケースＤの角枠５６外周壁５５ａ，ｂが通過するときは、係止片４８が外方に移動し、板部分４６の先端部分は、接続端縁４６ａを軸として廻動し、ケース本体Ａの切欠凹部１１内に移動するので、収納ケースＤの移動の妨げにならない。また、板部分４５も可撓性を有しているので、収納ケースＤが通過するとき係止リブ４７に弾接し、板部分４５が横溝４３の延長線を軸として廻動して外方に移動し、収納ケースＤの移動の妨げにならない。
したがって、収納ケースＤの着脱はきわめてスムーズに行うことができる。
【００２４】
また、従来のように塗布用具をそのままにして、収納ケースＤを上方に取り出すときには、板部分４５が撓んで収納ケースＤの係止リブ５７が中枠Ｃの係止リブ４７を容易に乗り越え、スムーズに取り出すことができ、また、嵌着も容易にできるようになっている。
【００２５】
上記実施形態では、ケース本体を角形のコンパクトとしたが、収納ケースと塗布用具の収納部が角形で、装着される中枠が同形の角形であれば、コンパクトの外形は楕円形、円形でもよい。
【００２６】
【発明の効果】
本発明は、上記のように構成されているから、次の効果を奏する。
中枠側板に、水平軸、垂直軸を中心に廻動し、水平方向に延びる係止リブと垂直方向に延びる係止片を突設した可撓性を有する収納ケース保持板を設けているので、収納ケースを水平方向または上下方向のいずれの方向にも移動させることができ、収納ケースの取り換えが容易に行えるようになった。
【図面の簡単な説明】
【図１】本発明コンパクトの斜視図である。
【図２】コンパクトの開蓋時の断面側面図である。
【図３】ケース本体を示す図で、（ａ）は平面図、（ｂ）は図（ａ）のＡ−Ａ線における一部断面正面図、（ｃ）は側面図である。
【図４】蓋体を示す図で、（ａ）は図（ｂ）のＡ−Ａ線における断面側面図、（ｂ）は底面図である。
【図５】蓋係脱部材を示す図で、（ａ）は一部断面平面図、（ｂ）は側面図、（ｃ）は図（ａ）のＡ−Ａ線における断面側面図である。
【図６】中枠を示す図で、（ａ）は平面図、（ｂ）は側面図、（ｃ）は底面図である。
【図７】  中枠の要部説明図で、図６（ａ）のＡ−Ａ線における断面側面図である。
【図８】  収納ケースを示す図で、（ａ）は側面図、（ｂ）は断面側面図、（ｃ）は図（ａ）のＡ−Ａ線における断面図である。
【符号の説明】
Ａ          ケース本体
Ｂ          蓋体
Ｃ          中枠
Ｄ          収納ケース
Ｅ          化粧料
１          底壁
２          周壁
９          軸受孔
１０          段部
１１          切欠凹部
１８          突出片
１９          蝶番ピン
３０          枠板
３１          傾斜板
３２          後板
３３ａ，ｂ    側板
３４          突出縁
３５，３６    切欠部
３７ａ，ｂ    側壁
３８ａ，ｂ    前板
４０          ケース保持板
４１，４２    縦溝
４３          横溝
４５，４６    板部分
４７，５７    係止リブ
４８          係止片
５０          底壁
５１ａ，ｂ    前後壁
５２ａ，ｂ    側壁
５３ａ，ｂ、５４ａ，ｂ    突出縁
５５          外周壁
５６          角枠
５８          係合溝
【図１】
0003856937.tif 000002
【図２】
0003856937.tif 000003
【図３】
0003856937.tif 000004
【図４】
0003856937.tif 000005
【図５】
0003856937.tif 000006
【図６】
0003856937.tif 000007
【図７】
0003856937.tif 000008
【図８】
0003856937.tif 000009